(57)【要約】【課題】流通過程や店頭で開封されたことが、商品の外観から容易に判断でき、また、液体用紙容器への取付工程での十分な仮止機能を有する不正開封防止付口栓を提供する。【解決手段】スパウト２００  の注出筒２２０  の下端部外周面に複数個の螺脱方向回転防止ラチェット２２２  を周方向へ等間隔に形成し、キャップ１００  の周壁１２０  の下方に周方向へ等間隔に設ける複数個の易破断連結部１２２  を介してキャップを螺脱方向へ回転したときにスパウトの螺脱方向回転防止ラチェットと嵌合する複数個の螺脱方向回転防止ラチェット１３１  を内周面の周方向へ等間隔に形成する不正開封防止環部１３０  を接続した不正開封防止付口栓１０であり、キャップの不正開封防止環部の下端に液体用紙容器２０の口栓取付孔２３の口径よりも大きい内径をもち、口栓取付孔に貫通可能な大きさの外径を有する薄肉の仮止リング１４０  を垂設する。【選択図】図１
2004182325.tif 000002
【特許請求の範囲】
【請求項１】
液体用紙容器の口栓取付孔に突設するスパウトとこのスパウトに螺着するキャップとからなり、前記スパウトの注出筒の下端部外周面に、複数個の螺脱方向回転防止ラチェットを周方向へ等間隔に形成し、前記キャップの周壁の下方に、周方向へ等間隔に設ける複数個の易破断連結部を介して、キャップを螺脱方向へ回転したときに前記スパウトの螺脱方向回転防止ラチェットと嵌合する複数個の螺脱方向回転防止ラチェットを内周面の周方向へ等間隔に形成する不正開封防止環部を接続した不正開封防止付口栓であって、前記キャップの不正開封防止環部の下端に、前記液体用紙容器の口栓取付孔の口径よりも大きい内径をもち、かつ前記口栓取付孔に貫通可能な大きさの外径を有する薄肉の仮止リングを垂設したことを特徴とする不正開封防止付口栓。
【請求項２】
液体用紙容器の口栓取付孔に突設するスパウトとこのスパウトに螺着するキャップとからなり、前記スパウトの注出筒の雄ねじの下方の外周面に固定リングを設け、前記キャップの周壁の下方に、周方向へ等間隔に設ける複数個の易破断連結部を介して、キャップを螺脱方向へ回転したときに前記スパウトの注出筒の固定リング及び下方外周面と嵌合する複数個の螺脱方向回転防止フラップを下端部内周面の周方向へ等間隔に形成する不正開封防止環部を接続した不正開封防止付口栓であって、前記キャップの不正開封防止環部の下端に、前記液体用紙容器の口栓取付孔の口径よりも大きい内径をもち、かつ前記口栓取付孔に貫通可能な大きさの外径を有する薄肉の仮止リングを垂設したことを特徴とする不正開封防止付口栓。
【発明の詳細な説明】
【０００１】
【発明の属する技術分野】
本発明は、清酒、果汁飲料、調味料などに使用される液体用紙容器の注出位置に突設される不正開封防止付口栓に関するものである。
【０００２】
【従来の技術】
従来、食品などの液体内容物に使用される液体用紙容器には、例えば、図５に示すように、胴部（２１）が四角柱状で、切り妻屋根形の頂部傾斜板（２２）には、スパウト（１００）とキャップ（２００）とからなる例えば図６に示すようなプルリング付の口栓（１０）を注出位置に突設した液体用紙容器（２０）が、広い用途範囲にわたって使用されていた。この口栓は、使用時の便利性を考慮したものである。
【０００３】
【発明が解決しようとする課題】
しかしながら、上述の従来の液体用紙容器の口栓は、不正開封防止機能が付いてなく、流通過程で誤って又は故意に開封されても、商品の外観からは判断することが難しく、商品のバージン性が損なわれたり、また、商品の内容物に悪影響を及ぼすことがあった。
【０００４】
また、口栓を液体用紙容器の注出位置に取り付ける方法は、まず、液体用紙容器の口栓取付孔にスパウトの注出筒と環状台座部を突出させ、口栓取付孔周縁部をスパウトの環状台座部の外周上端部に周方向へ等間隔に設けられている仮止突起に引っかけて仮止めし、次に、超音波シール法などで、図６に示すように、スパウト（２００）の環状台座部（２１０）の外周下端部に設けられている溶着リング（２３０）の上面と液体用紙容器（２０）の口栓取付孔（２３）の内周縁部の内面とを溶着して取り付けるものである。しかしながら、図６に示すようなプルリング付の口栓（１０）の場合には、使用するときに、キャップ（１００）を取り外し、スパウト（２００）の注出筒（２２０）の内側に収容されているプルリング（２４４）に指を引っかけて引き上げ、環状薄肉脆弱線（２４２）を破断して封鎖板（２４０）を開口するものであり、このため、スパウトの材質に柔らかい材質が用いられ、仮止突起（２１１）の仮止め機能が不十分になることがあった。
【０００５】
本発明は、上述の従来の問題を解決したものであり、流通過程や店頭で開封されたことが、商品の外観から容易に判断でき、また、液体用紙容器への取付工程での十分な仮止機能を有する不正開封防止付口栓を提供するものである。
【０００６】
【課題を解決するための手段】
すなわち、本発明の第１の発明は、液体用紙容器の口栓取付孔に突設するスパウトとこのスパウトに螺着するキャップとからなり、前記スパウトの注出筒の下端部外周面に、複数個の螺脱方向回転防止ラチェットを周方向へ等間隔に形成し、前記キャップの周壁の下方に、周方向へ等間隔に設ける複数個の易破断連結部を介して、キャップを螺脱方向へ回転したときに前記スパウトの螺脱方向回転防止ラチェットと嵌合する複数個の螺脱方向回転防止ラチェットを内周面の周方向へ等間隔に形成する不正開封防止環部を接続した不正開封防止付口栓であって、前記キャップの不正開封防止環部の下端に、前記液体用紙容器の口栓取付孔の口径よりも大きい内径をもち、かつ前記口栓取付孔に貫通可能な大きさの外径を有する薄肉の仮止リングを垂設したことを特徴とする不正開封防止付口栓である。
【０００７】
次に、本発明の第２の発明は、液体用紙容器の口栓取付孔に突設するスパウトとこのスパウトに螺着するキャップとからなり、前記スパウトの注出筒の雄ねじの下方の外周面に固定リングを設け、前記キャップの周壁の下方に、周方向へ等間隔に設ける複数個の易破断連結部を介して、キャップを螺脱方向へ回転したときに前記スパウトの注出筒の固定リング及び下方外周面と嵌合する複数個の螺脱方向回転防止フラップを下端部内周面の周方向へ等間隔に形成する不正開封防止環部を接続した不正開封防止付口栓であって、前記キャップの不正開封防止環部の下端に、前記液体用紙容器の口栓取付孔の口径よりも大きい内径をもち、かつ前記口栓取付孔に貫通可能な大きさの外径を有する薄肉の仮止リングを垂設したことを特徴とする不正開封防止付口栓である。
【０００８】
【発明の実施の形態】
次に、本発明の不正開封防止付口栓の実施の形態について、図を用いて詳細に説明する。
図１は、液体用紙容器の口栓取付孔に取り付けられた本発明の実施形態１の不正開封防止付口栓の断面図であり、図２は、そのキャップの断面図である。図３は、液体用紙容器の口栓取付孔に取り付けられた本発明の実施形態２の不正開封防止付口栓の断面図であり、図４は、そのキャップの断面図である。図５は、一例の口栓を頂部に突設する液体用紙容器の斜視図である。図６は、液体用紙容器の口栓取付孔に取り付けられた従来の一例の口栓の断面図である。
【０００９】
本発明の不正開封防止付口栓は、液体用紙容器の注出位置に取り付けられるスパウトとこのスパウトに螺着するキャップとからなるものである。スパウトは、液体用紙容器の注出位置の口栓取付孔に注出筒と環状台座部を突設させて、液体紙容器の内面に溶着リングの上面を超音波シール法などの溶着法により溶着して取り付けるものである。スパウトやキャップは、破断される部分があるため、通常、低密度ポリエチレンや直鎖状低密度ポリエチレンなどの比較的に軟性の熱可塑性樹脂を用いて射出成形法により作製されものである。
【００１０】
実施形態１の不正開封防止付口栓のキャップ（２００）は、図２に示すように、天板（１１０）と周壁（１２０）とからなり、天板の下面にスパウトを封止するコンタクト封止リング（１１１）（先端をスパウトの注出筒の天面に密接）とインナー封止リング（１１２）（外周面をスパウトの注出筒の先端部内周面に密接）を垂設し、周壁の内周面にスパウトとの雌ねじ（１２１）を設け、周壁の下端面に、周方向へ等間隔に設ける複数個の易破断連結部（１２２）を介して、キャップを螺脱方向へ回転したときにスパウトの螺脱方向回転防止ラチェットと嵌合する複数個の螺脱方向回転防止ラチェット（１３１）を内周面に周方向へ等間隔に形成する不正開封防止環部（１３０）を接続するものである。そして、不正開封防止環部の下端に、液体用紙容器の口栓取付孔の口径よりも大きい内径をもち、口栓取付孔に貫通可能な大きさの外径を有する薄肉の仮止リング（１４０）を垂設するものである。なお、易破断連結部は、薄肉にして破断し易く形成するものである。
【００１１】
そして、スパウト（２００）は、図１に示すように、下端外周面に容器との溶着リング（２３０）をもつ環状台座部（２１０）に、キャップとの雄ねじ（２２１）を外周面にもつ注出筒（２２０）を立設し、この注出筒の内側下方に、封鎖板（２４０）を設けて封止し、この封鎖板の開口予定位置の下面に断面逆Ｖ字状の環状切込み（２４１）を設けて、その上面側に環状薄肉脆弱線（２４２）を形成し、この環状薄肉脆弱線の内側近傍の上面の一側に、先端にプルリング（２４４）をもつ支柱（２４３）を立設するものであり、注出筒の下端部外周面に、複数個の螺脱方向回転防止ラチェット（２２２）を周方向へ等間隔に形成するものである。なお、スパウトを開口するときは、注出筒の内側に収容されているプルリングを指に引っかけて上方へ引っ張って環状薄肉脆弱線を破断して封鎖板を開口するものである。
【００１２】
次に、実施形態２の不正開封防止付口栓のキャップ（２００）は、図４に示すように、天板（１１０）と周壁（１２０）とからなり、天板の下面にスパウトを封止するコンタクト封止リング（１１１）とインナー封止リング（１１２）を垂設し、周壁の内周面にスパウトとの雌ねじ（１２１）を設け、周壁の下端面に、周方向へ等間隔に設ける複数個の易破断連結部（１２２）を介して、キャップを螺脱方向へ回転したときに図３に示すスパウト（２００）の注出筒（２２０）の固定リング（２２３）及び下方外周面と嵌合する複数個の螺脱方向回転防止フラップ（１３２）を下端部内周面に周方向へ等間隔に形成する不正開封防止環部（１３０）を接続するものである。そして、不正開封防止環部の下端に、液体用紙容器の口栓取付孔の口径よりも大きい内径をもち、口栓取付孔に貫通可能な大きさの外径を有する薄肉の仮止リング（１４０）を垂設するものである。
【００１３】
そして、スパウト（２００）は、図３に示すように、下端外周面に容器との溶着リング（２３０）をもつ環状台座部（２１０）に、外周面にキャップとの雄ねじ（２２１）を設けこの雄ねじの下方に固定リング（２２３）を設ける注出筒（２２０）を立設し、この注出筒の内側下方に、封鎖板（２４０）を設けて封止し、この封鎖板の開口予定位置の下面に断面逆Ｖ字状の環状切込み（２４１）を設けて、その上面側に環状薄肉脆弱線（２４２）を形成し、この環状薄肉脆弱線の内側近傍の上面の一側に、先端にプルリング（２４４）をもつ支柱（２４３）を立設するものであり、注出筒の下端部外周面に、複数個の螺脱方向回転防止ラチェット（２２２）を周方向へ等間隔に形成するものである。なお、スパウトを開口するときは、注出筒の内側に収容されているプルリングを指に引っかけて上方へ引っ張って環状薄肉脆弱線を破断して封鎖板を開口するものである。
【００１４】
上述の実施形態１又は２の不正開封防止付口栓は、キャップを取り外すために、キャップを螺脱回転方向へ回転したときに、キャップの周壁の下端に易破断連結部を介して接続する不正開封防止環部の内周面に設けられた螺脱方向回転防止ラチェット又は螺脱方向回転防止フラップが、スパウトの注出筒の下端部外周面に設けられた螺脱方向回転防止ラチェット又は固定リング及び下方外周面と嵌合し、不正開封防止環がスパウトに固定され、キャップをさらに螺脱回転方向へ回転すると、キャップの周壁の下端と不正開封防止環の上端とを接続する易破断連結部が破断され、不正開封防止環が下方へ下がる。このため、易破断連結部が破断された状態は、キャップをスパウトに再度螺着しても外観から容易に確認できる。
【００１５】
また、実施形態１及び２の不正開封防止付口栓は、キャップの不正開封防止環部の下端に、液体用紙容器の口栓取付孔の口径よりも大きい内径をもち、口栓取付孔に貫通可能な大きさの外径を有する薄肉で柔軟な仮止リングを垂設しており、この仮止リングは、液体用紙容器の口栓取付孔を通り抜けたのちに、口栓取付孔の口径よりも大きい通常の大きさに戻るため、液体用紙容器への取付工程での仮止機能が良好である。
【００１６】
【発明の効果】
本発明の不正開封防止付口栓は、流通過程で誤って又は故意に開封されたことは、キャップの周壁下端と不正開封防止環部を接続していた易破断連結部の破断状態や不正開封防止環部の落下状態から、容易に外観から確認できる。
【００１７】
また、本発明の不正開封防止付口栓は、キャップの不正開封防止環部の下端に仮止リングが垂設されており、この仮止リングの作用により液体用紙容器への取付工程での仮止機能が良好である。なお、この仮止リングの構造は、各種の液体用紙容器にも適用可能である。
【００１８】
また、本発明の不正開封防止付口栓の仮止リングは、従来の口栓の仮止突起ととは異なり突起形状でないため、人の手指を傷つける危惧がない。
【図面の簡単な説明】
【図１】液体用紙容器の口栓取付孔に取り付けられた本発明の実施形態１の不正開封防止付口栓の断面図である。
【図２】実施形態１のキャップの断面図である。
【図３】液体用紙容器の口栓取付孔に取り付けられた本発明の実施形態２の不正開封防止付口栓の断面図である。
【図４】実施形態２のキャップの断面図である。
【図５】一例の口栓を頂部に突設する液体用紙容器の斜視図である。
【図６】液体用紙容器の口栓取付孔に取り付けられた従来の一例の口栓の断面図である。
【符号の説明】
１０……口栓
２０……液体用紙容器
２１……胴部
２２……頂部傾斜板
２３……口栓取付孔
１００……キャップ
１１０……天板
１１１……インナー封止リング
１１２……コンタクト封止リング
１２０……周壁
１２１……雌ねじ
１２２……易破断連結部
１３０……不正開封防止環部
１３１，２２２……螺脱方向回転防止ラチェット
１３２……螺脱方向回転防止フラップ
１４０……仮止リング
２００……スパウト
２１０……環状台座部
２１１……仮止突起
２２０……注出筒
２２１……雄ねじ
２２３……固定リング
２３０……溶着リング
２４０……封鎖板
２４１……環状切込み
２４２……環状薄肉脆弱線
２４３……支柱
２４４……プルリング
【図１】
2004182325.tif 000003
【図２】
2004182325.tif 000004
【図３】
2004182325.tif 000005
【図４】
2004182325.tif 000006
【図５】
2004182325.tif 000007
【図６】
2004182325.tif 000008